(57)【要約】【課題】本発明は、上下方向に開閉するいわゆる上げ下げ窓６において、窓６が急激に下降してきた場合であっても、下降速度を抑え、破損・怪我等を防止することを課題とする。【解決手段】本発明に係る上げ下げ窓急激下降防止ストッパー３は、板状弾性体９を円弧状に撓ませた状態で、固定部材８を使って、縦枠１に取り付けることによって出来上がる。取付箇所は縦枠のできるだけ下の方がよい。通常の上げ下げ操作において摩擦が生じないようにするためである。このストッパー３のおかげで、ワイヤ５が切れた場合や急激な力を加えて窓を閉めようとした場合でも、窓６の下降速度を緩め、破損・怪我等を防止できる。【選択図】図４
2008308967.tif 000002
【特許請求の範囲】
【請求項１】
板状弾性体挿入口を設けた固定部材と、円弧状に撓ませて使用する板状弾性体と、固定部材を取り付ける取付手段とからなり、上げ下げ窓用縦枠に取り付けられる上げ下げ窓急激下降防止ストッパーであって、下降中の窓の一部が円弧状に撓んだ板状弾性体の外周部分に触れることによって窓の下降速度が遅くなり、下枠へ強い衝撃を与えずに済むことができる点を特徴とする、上げ下げ窓急激下降防止ストッパー
【請求項２】
板状弾性体を円弧状に撓ませつつ、固定部材の板状弾性体挿入口に、板状弾性体の両端をそれぞれ挿入した状態で、上げ下げ窓用縦枠の下方に固定部材を取り付けることで、閉扉直前に下降速度を遅くすることができることを特徴とする、請求項１記載の上げ下げ窓急激下降防止ストッパー
【請求項３】
窓への当たり具合を適宜調整できることを特徴とする請求項１又は請求項２記載の上げ下げ窓急激下降防止ストッパー
【請求項４】
固定部材に板状弾性体挿入孔を多数設けることによって、窓への当たり具合を適宜調整できることを特徴とする請求項１又は請求項２記載の上げ下げ窓急激下降防止ストッパー
【請求項５】
撓み調整ネジによって窓への当たり具合を適宜調整できることを特徴とする請求項１又は請求項２記載の上げ下げ窓急激下降防止ストッパー
【発明の詳細な説明】
【技術分野】
【０００１】  上下方向に開閉するいわゆる上げ下げ窓にいて、何らかの理由で窓が急激に下降すると、下枠に強い衝撃を与え破損等する可能性や、指を置いていた場合に大怪我する可能性がある。【０００２】  本発明は、窓が急激に下降してきた場合であっても、下降速度を緩め、破損・怪我等を防止する急激下降防止ストッパーに関するものである。
【背景技術】
【０００３】  本発明に類似するものとして、上げ下げ窓落下防止装置が存在する。
【特許文献１】特開２００２−２４２５２７
【発明の開示】
【発明が解決しようとする課題】
【０００４】  しかし、上記文献に示されているものは、窓を支えるワイヤが切れた場合等の非常用であり、常時作動するというものではない。【０００５】  誤って強い勢いで窓を下降させるようなことは、日常的にもよくあることである。そのような場合においても、急激な下降を防止できるようにすることが課題である。
【課題を解決するための手段】
【０００６】  上げ下げ窓における窓が急激に下降してきて下枠等へ強い衝撃を与えてしまうことを防止するため、板状弾性体挿入口を設けた固定部材と、円弧状に撓ませて使用する板状弾性体と、固定部材を取り付ける取付手段とからなり、上げ下げ窓用縦枠に取り付けられる上げ下げ窓急激下降防止ストッパーを発明した。【０００７】  また、縦枠と窓の隙間が狭かったり、あるいは広かったりすることもあるので、固定部材に工夫を凝らすことで、窓への当たり具合を適宜調整できるようにした。
【発明の効果】
【０００８】  本発明に係る急激下降防止ストッパー３は、縦枠１に取り付けられるものである。一度セッティングすれば、常時作動させることができる。そのため、急激に閉めても下枠２が破損する心配も無ければ、子供等が手や指を挟んで大怪我してしまう心配も不要となる。【０００９】  また、本発明に係る急激下降防止ストッパー３によれば、縦枠と窓の隙間が変わっても、板状弾性体の撓み具合を変えることによって、当たり具合を適宜調整することができる。
【発明を実施するための最良の形態】
【００１０】  図１や図４に示すように、本発明に係る急激下降防止ストッパー３は、縦枠１に取り付けられるが、窓が下枠２に接地する直前に窓６の一部に触れるようにするため、できるだけ縦枠１の下の方に取り付けるのが好ましい。というのも、上の方に取り付けると、通常の上げ下げ操作において常に摩擦が生じてしまい、開け閉め操作に逆に支障が生ずるが、下の方に取り付ければ、一般的な窓の上げ下げ操作においては動きが渋くなる等の支障が生ずることはないからである。【００１１】  上げ下げ窓６の左右両端は縦枠１に係合しており、その縦枠１に沿って窓６が上下にスライドする。下方にスライドするとき、上げ下げ窓６を支えるワイヤ５を巻き付けておくワイヤ係止部材４が急激下降防止ストッパー３に当たることによって、急激な下降に歯止めを掛けることができる。【００１２】  急激下降防止ストッパー３は、長方形の板状弾性体９の両端を固定部材８に設けた板状弾性体挿入口１０（図５参照）に入れることによって板状弾性体９を円弧状に撓ませ（図６参照）、その固定部材８に設けた取付ネジ穴１１に取付ネジ７を挿入して、縦枠１に取り付けることによって出来上がる。板状弾性体９は、金属製あるいはプラスチック製の板バネのようなものでもよいし、グリップ力のあるゴム素材からなるものでもよい。また、取付手段は、ネジ止めが典型的であるが、接着剤によって接着させても良いし、フックと穴を設けて係合させても良い。
【実施例１】
【００１３】  図７に示すように、固定部材８に板状弾性体挿入口１０を多数設けた急激下降防止ストッパーも考えられる。板状弾性体９の一端を一番上の挿入口１０に挿入し、多端を下から一番目、二番目、三番目等の挿入口１０のいずれか一つに挿入することによって、板状弾性体９の撓み具合を変えることができる。その結果、縦枠１と窓６の隙間が変わっても、当たり具合を適宜調整することができる。
【実施例２】
【００１４】  図８に示すように、撓み調整ネジ１３によって板状弾性体９の撓み具合を調整する急激下降防止ストッパーも考えられる。固定部材８における板状弾性体挿入口１０を設けた面と異なる面に撓み調整ネジ穴１２を設け（図９参照）、そこに撓み調整ネジ１３を挿入する。それによって板状弾性体９の撓み具合を変えることができる。その結果、縦枠１と窓６の隙間が変わっても、当たり具合を適宜調整することができる。
【図面の簡単な説明】
【００１５】
【図１】上げ下げ窓と枠の関係を正面から見た様子
【図２】急激下降防止ストッパーを装着していない場合において、上げ下げ窓と枠の関係を真上から見た様子
【図３】急激下降防止ストッパーを装着している場合において、上げ下げ窓と枠の関係を真上から見た様子
【図４】急激下降防止ストッパーの縦断面図
【図５】急激下降防止ストッパーにおける固定部材の斜視図
【図６】固定部材と板状弾性体からなる急激下降防止ストッパーの斜視図
【図７】挿入口を多数設けた固定部材の斜視図
【図８】たわみ調整ネジ付きの急激下降防止ストッパーの縦断面図
【図９】たわみ調整ネジ穴を設けた固定部材の斜視図
【符号の説明】
【００１６】１…縦枠
２…下枠
３…急激下降防止ストッパー
４…ワイヤ係止部材
５…ワイヤ
６…上げ下げ窓
７…取付ネジ
８…固定部材
９…板状弾性体
１０…板状弾性体挿入口
１１…取付ネジ穴
１２…撓み調整ネジ穴
１３…撓み調整ネジ
【図１】
2008308967.tif 000003
【図２】
2008308967.tif 000004
【図３】
2008308967.tif 000005
【図４】
2008308967.tif 000006
【図５】
2008308967.tif 000007
【図６】
2008308967.tif 000008
【図７】
2008308967.tif 000009
【図８】
2008308967.tif 000010
【図９】
2008308967.tif 000011